(57)【要約】【課題】いつでも、どこでも、誰でも、容易にＩＣタグを使用して所望する物品を自由に管理できるようにする。【解決手段】複数のＩＣタグチップ３が配列固定されている粘着テープ２を収容するケース本体１からＩＣタグチップを取り出すために粘着テープ２が引き出された際に、このＩＣタグチップからタグＩＤを読み取ると共に、このＩＣタグチップに関する付帯情報を取得し、このタグＩＤと付帯情報とを対応付けて記憶管理した後、タグＩＤが任意に指定された際に、指定されたタグＩＤに対応する付帯情報を読み出して日時表示部１６、スピーカ１８から出力させる。【選択図】  図1
2005321845.tif 000002
【特許請求の範囲】
【請求項１】
ＩＣタグを発行管理するＩＣタグ発行管理装置であって、
複数のＩＣタグを分離可能に収容する持ち運び自由なケース本体からＩＣタグが取り出されたことを検出する検出手段と、
この検出手段によってＩＣタグの取り出しが検出された際に、このＩＣタグに記憶されているタグ識別情報を取得する識別情報取得手段と、
前記検出手段によってＩＣタグの取り出しが検出された際に、このＩＣタグに関する付帯情報を取得する付帯情報取得手段と、
前記各取得手段によって得られたタグ識別情報と付帯情報とを対応付けて記憶管理するタグ情報記憶手段と、
任意のタグ識別情報が指定された際に、指定されたタグ識別情報に対応する付帯情報を前記タグ情報記憶手段から読み出して出力する出力手段と、
を具備したことを特徴とするＩＣタグ発行管理装置。
【請求項２】
前記複数のＩＣタグに記憶されている各タグ識別情報は、ＩＣタグの並び順を識別可能な順位情報であり、
前記識別情報取得手段は、ケース本体からＩＣタグがその並び順に従って順番に取り出された際に、そのＩＣタグからタグ識別情報を取得する、
ようにしたことを特徴とする請求項1記載のＩＣタグ発行管理装置。
【請求項３】
前記分離可能な複数のＩＣタグは、リール状に巻かれた粘着テープ上に配列固定されており、このリール状に巻かれた粘着テープを収容する前記ケース本体は、粘着テープの引き出し時にそのテープ部分を切断するカッター部を有することを特徴とする請求項1記載のＩＣタグ発行管理装置。
【請求項４】
前記分離可能な複数のＩＣタグは、綴じ針群を構成する個々の針に取り付けられ、この綴じ針群を収容する前記ケース本体は、この綴じ針群から針を打ち出す機構部を有することを特徴とする請求項1記載のＩＣタグ発行管理装置。
【請求項５】
前記ＩＣタグを金属製の前記綴じ針に取り付けることによって当該綴じ針をアンテナ機能とする、
ようにしたことを特徴とする請求項４記載のＩＣタグ発行管理装置。
【請求項６】
計時情報を得る計時手段を設け、
前記付帯情報取得手段は、ＩＣタグの取り出しが検出された際に、前記計時手段によって得られた計時情報を付帯情報として取得する、
ようにしたことを特徴とする請求項１記載のＩＣタグ発行管理装置。
【請求項７】
任意のメッセージを入力する入力手段を設け、
前記付帯情報取得手段は、ＩＣタグの取り出しが検出された際に、前記入力手段から入力されたメッセージを付帯情報として取得する、
ようにしたことを特徴とする請求項１記載のＩＣタグ発行管理装置。
【請求項８】
前記入力手段は、任意の内容の音声メッセージを入力する音声入力手段であり、
前記出力手段は、付帯情報としての音声メッセージを再生出力する、
ようにしたことを特徴とする請求項７記載のＩＣタグ発行管理装置。
【請求項９】
前記収容ケース本体から取り出されて任意の物品に取り付けられたＩＣタグからそのタグ識別情報を読み取る読取手段を設け、
前記出力手段は、この読取手段によって読み取られたタグ識別情報に対応する付帯情報を前記タグ情報記憶手から読み出して出力する、
ようにしたことを特徴とする請求項１記載のＩＣタグ発行管理装置。
【請求項１０】
コンピュータに対して、
複数のＩＣタグを分離可能に収容する持ち運び自由な収容ケース本体からＩＣタグが取り出されたことが検出された際に、このＩＣタグに記憶されているタグ識別情報を取得する機能と、
ＩＣタグの取り出しが検出された際に、このＩＣタグに関する付帯情報を取得する機能と、
前記取得したタグ識別情報と付帯情報とを対応付けてタグ情報として記憶管理する機能と、
任意のタグ識別情報が指定された際に、指定されたタグ識別情報に対応する付帯情報を前記タグ情報記憶手段から読み出して出力する機能と、
を実現させるためのプログラム。
【発明の詳細な説明】
【技術分野】
【０００１】
この発明は、ＩＣタグを発行管理するＩＣタグ発行管理装置およびプログラムに関する。
【背景技術】
【０００２】
近年、無線電波によって情報を読み取るＲＦＩＤ(Radio Frequency Identification)の技術が進歩し、様々な物品にＲＦＩＤを取り付けて物品管理を行うようにしている。また、非常に極小のマイクロＩＣタグチップの開発も行われている。
従来、ＩＣタグを商品に取り付けるために、ＩＣタグの取り付け面である基板／保護フイルムの片面に、粘着層／接着剤を塗布し、また、曲面形状の製品にもＩＣタグを取り付け可能とするために、可とう性の基材を使用するようにした非接触ＩＣタグが知られている（特許文献１参照）。また、ＲＦＩＤラベルを製造する際に、粘着テープを巻き戻しながらアンテナ基板、半導体チップを貼り付けると共に、アンテナ基板と半導体チップとを接続する各工程を一貫して行うＲＦＩＤラベルの製造方法が知られている（特許文献２参照）。
【特許文献１】特開２０００−２５１０４６号公報
【特許文献２】特開２００２−２９８１０４号公報
【発明の開示】
【発明が解決しようとする課題】
【０００３】
しかしながら、上述した特許文献１は、ＩＣタグを商品に取り付けるための技術であり、上述した特許文献２は、ＲＦＩＤラベルを製造する技術であった。
ところで、従来、ＩＣタグチップは、予め商品の製造時に埋め込まれたり、店舗側で商品に貼り付けられるが、このＩＣタグには商品コードを含むタグＩＤが記憶されていて、各商品とＩＣタグとは１対１の関係にある。従って、家庭の主婦などが食料品、日常品にＩＣタグを貼り付けて食料品、日常品の管理を行おうとした場合、業務用のＩＣタグでは、対象商品が限られてしまい、事実上、その管理は不可能であった。
【０００４】
この発明の課題は、いつでも、どこでも、誰でも、容易にＩＣタグを使用して所望する物品を自由に管理できるようにすることである。
【課題を解決するための手段】
【０００５】
請求項１記載の発明は、ＩＣタグを発行管理するＩＣタグ発行管理装置であって、複数のＩＣタグを分離可能に収容する持ち運び自由なケース本体からＩＣタグが取り出されたことを検出する検出手段と、この検出手段によってＩＣタグの取り出しが検出された際に、このＩＣタグに記憶されているタグ識別情報を取得する識別情報取得手段と、前記検出手段によってＩＣタグの取り出しが検出された際に、このＩＣタグに関する付帯情報を取得する付帯情報取得手段と、前記各取得手段によって得られたタグ識別情報と付帯情報とを対応付けて記憶管理するタグ情報記憶手段と、任意のタグ識別情報が指定された際に、指定されたタグ識別情報に対応する付帯情報を前記タグ情報記憶手段から読み出して出力する出力手段とを具備したことを特徴とする。
更に、コンピュータに対して、上述した請求項１記載の発明に示した主要機能を実現させるためのプログラムを提供する（請求項１０記載の発明）。
【０００６】
なお、請求項１記載の発明は次のようなものであってもよい。
前記複数のＩＣタグに記憶されている各タグ識別情報は、ＩＣタグの並び順を識別可能な順位情報であり、前記識別情報取得手段は、ケース本体からＩＣタグがその並び順に従って順番に取り出された際に、そのＩＣタグからタグ識別情報を取得する（請求項２記載の発明）。
【０００７】
前記分離可能な複数のＩＣタグは、リール状に巻かれた粘着テープ上に配列固定されており、このリール状に巻かれた粘着テープを収容する前記ケース本体は、粘着テープの引き出し時にそのテープ部分を切断するカッター部を有する（請求項３記載の発明）。
【０００８】
前記分離可能な複数のＩＣタグは、綴じ針群を構成する個々の針に取り付けられ、この綴じ針群を収容する前記ケース本体は、この綴じ針群から針を打ち出す機構部を有する（請求項４記載の発明）。
この場合、前記ＩＣタグを金属製の前記綴じ針に取り付けることによって当該綴じ針をアンテナ機能とするようにしてもよい（請求項５記載の発明）。
【０００９】
計時情報を得る計時手段を設け、前記付帯情報取得手段は、ＩＣタグの取り出しが検出された際に、前記計時手段によって得られた計時情報を付帯情報として取得する（請求項６記載の発明）。
【００１０】
任意のメッセージを入力する入力手段を設け、前記付帯情報取得手段は、ＩＣタグの取り出しが検出された際に、前記入力手段から入力されたメッセージを付帯情報として取得する（請求項７記載の発明）。
この場合、前記入力手段は、任意の内容の音声メッセージを入力する音声入力手段であり、前記出力手段は、付帯情報としての音声メッセージを再生出力するようにしてもよい（請求項８記載の発明）。
【００１１】
前記収容ケース本体から取り出されて任意の物品に取り付けられたＩＣタグからそのタグ識別情報を読み取る読取手段を設け、前記出力手段は、この読取手段によって読み取られたタグ識別情報に対応する付帯情報を前記タグ情報記憶手から読み出して出力する（請求項９記載の発明）。
【発明の効果】
【００１２】
請求項１記載の発明によれば、複数のＩＣタグを分離可能に収容する持ち運び自由なケース本体からＩＣタグが取り出されたことが検出された際に、このＩＣタグに記憶されているタグ識別情報を取得すると共に、このＩＣタグに関する付帯情報を取得し、このタグ識別情報と付帯情報とを対応付けてタグ情報として記憶管理した後に、任意のタグ識別情報が指定された際に、指定されたタグ識別情報に対応する付帯情報を読み出して出力するようにしたから、いつでも、どこでも、誰でも、容易にＩＣタグを使用して所望する物品を自由に管理することができ、一般家庭であっても、ＩＣタグを使用して食料品、日常品などを手軽に管理することができる。
【００１３】
請求項２記載の発明によれば、上述した請求項１記載の発明と同様の効果を有する他、複数のＩＣタグに記憶されている各タグ識別情報は、ＩＣタグの並び順を識別可能な順位情報であり、ケース本体からＩＣタグがその並び順に従って順番に取り出された際に、そのＩＣタグからタグ識別情報を取得するようにしたから、予め管理対象である物品とそれに貼り付けられるＩＣタグとを対応付けておかなくてもよく、任意の物品に任意のＩＣタグを貼り付けることができる。この場合、タグ識別情報と付帯情報との対応付けによって任意の物品と任意のＩＣタグとは、付帯情報によって関連付けられる。
【００１４】
請求項３記載の発明によれば、上述した請求項１記載の発明と同様の効果を有する他、分離可能な複数のＩＣタグは、リール状に巻かれた粘着テープ上に配列固定されており、このリール状に巻かれた粘着テープを収容するケース本体は、粘着テープの引き出し時にそのテープ部分を切断するカッター部を有し、このケース本体から引き出された粘着テープが切断されることによってＩＣタグの取り出しを可能としたから、例えば、文房具用品、事務用品として普及している粘着テープホルダのように、ケース本体全体を持ち運び自由で簡易な構造とすることができると共に、使い慣れている方法でＩＣタグを容易に取り出すことができる。
【００１５】
請求項４記載の発明によれば、上述した請求項１記載の発明と同様の効果を有する他、分離可能な複数のＩＣタグは、綴じ針群を構成する個々の針に取り付けられ、この綴じ針群を収容するケース本体は、この綴じ針群から針を打ち出す機構部を有し、ケース本体から針を打ち出すことによってＩＣタグの取り出しを可能としたから、例えば、文房具用品、事務用品として普及しているステープラー(紙綴器)のようにケース本体全体を持ち運び自由で簡易な構造とすることができると共に、使い慣れている方法でＩＣタグを容易に取り出しながら紙類、袋類などに針を打ち込んで綴じることができる。
この場合、ＩＣタグを金属製の綴じ針に取り付けることによって当該綴じ針をアンテナ機能として兼用するようにしてもよい（請求項５記載の発明）。
【００１６】
請求項６記載の発明によれば、上述した請求項１記載の発明と同様の効果を有する他、ＩＣタグが取り出された際の計時情報を付帯情報として取得するようにしたから、ＩＣタグの取り出し日時に基づいて物品管理を行うことができる。
【００１７】
請求項７記載の発明によれば、上述した請求項１記載の発明と同様の効果を有する他、ＩＣタグが取り出された際に任意に入力されたメッセージを付帯情報として取得するようにしたから、例えば、品名、購入先、価格など、所望する内容のメッセージに基づいて物品管理を行うことができる。
この場合、音声メッセージが付帯情報とすれば(請求項８記載の発明)、テキスト入力などの特別な操作を行うことなく、入力された音声メッセージを聞くことができる。
【００１８】
請求項９記載の発明によれば、上述した請求項１記載の発明と同様の効果を有する他、収容ケース本体から取り出されて任意の物品に取り付けられたＩＣタグからそのタグ識別情報を読み取った際に、このタグ識別情報に対応する付帯情報を読み出して出力するようにしたから、任意の物品に取り付けられたＩＣタグからそのタグ識別情報を読み取るだけで、付帯情報の内容を知ることができ、更に利便性を向上させることができる。
【発明を実施するための最良の形態】
【００１９】
（実施例１）
以下、図１〜図５を参照して本発明の第１実施例を説明する。
図１は、この実施例におけるＩＣタグ発行管理装置の全体を示した概略外観図であり、図２は、この発行管理装置内にリール状に巻かれた粘着テープを示した斜視図であり、図３は、粘着テープの概略断面図である。
このＩＣタグ発行管理装置は、例えば、一般家庭において、主婦などが非接触無線形式のＩＣタグを使用して食料品、日常品を管理する目的で使用されるもので、その全体は、文房具用品、事務用品として普及している粘着テープホルダと基本的には同様の形状を成すテープホルダ形式のハンディ型発行管理装置であり、このケース本体１は、リール状に巻かれた粘着テープ２を収容する収容部１Ａと、この収容部１Ａから粘着テープ２を巻き戻して水平方向に引き出すための引き込み部１Ｂとを一体成形した構成となっている。
【００２０】
粘着テープ２は、セロファン／ビニール製で、透明／色付きなどの薄肉状テープであり、その下面は、粘着剤２Ａが塗布された粘着面となっており、その上面には、その長さ方向に沿って等間隔毎に多数のマイクロＩＣタグチップ３が配列固定されている。このマイクロＩＣタグチップ３は、非接触無線形式のＩＣタグであり、その並び順を識別可能なタグＩＤが記憶されているもので、その両端部には薄板状のアンテナ４が接続されている。このアンテナ付きＩＣタグチップ３は、上側テープ２Ｂと下側テープ２Ｃとで挟み持たれ、接着層２Ｄを介して固定されている。タグＩＤは、ＩＣタグチップの並び順に従って割り当てられた連番形式の番号情報であり、この番号情報を記憶するＩＣタグチップ３に対応する粘着テープ２の上面には、この番号情報が印刷形成されている。この番号印刷部２Ｅとアンテナ付きＩＣタグチップ３とを一組とする各組の間には、組単位の切断位置を明示すると共にその切断を容易にするためにミシン目２Ｆが形成されている。
【００２１】
ケース本体１の収容部１Ａにおいて、リール状に巻かれた粘着テープ２を回転可能に保持する回転軸１１の近傍には、その回転を検出する回転検知部１２が設けられている。この回転検知部１２は、マイクロスイッチ／光学的／磁気的などの手段によって回転軸１１が回転したこと(粘着テープ２が引き出されたこと)を検出するもので、その検出信号を後述するＣＰＵに与える。引き込み部１Ｂの先端部には、粘着テープ２の引き出し時にそのテープ部分を切断するテープカッター部１３が設けられていると共に、ＩＣタグ読み取り部１４が設けられている。このＩＣタグ読み取り部１４は、カッター部１３によって１単位分の粘着テープ２が切断される前に、回転検知部１２からの検出信号に応答して粘着テープ２上のＩＣタグチップ３からタグＩＤを自動的に読み取るもので、このタグＩＤを後述するＣＰＵに与える。
【００２２】
ケース本体１の引き込み部１Ｂには、カッター部１３、ＩＣタグ読み取り部１４の他に、メモリ＆制御部１５、日時表示部１６が設けられている。メモリ＆制御部１５は、ＣＰＵおよび記憶部を有する構成で、ＣＰＵは、記憶部内のオペレーティングシステムおよび各種アプリケーションソフトに従ってこのＩＣタグ発行管理装置の全体動作を制御する中央演算処理装置である。記憶部は、プログラム領域とデータ領域とを有し、磁気的メモリ、光学的メモリ、半導体メモリ等の他、その駆動系を有する構成となっている。この記憶部内のプログラム領域には、後述する図４に示す動作手順に従って本実施例を実現する為のアプリケーションプログラムが格納されている。日時表示部１６は、現在の計時情報を取得して表示する液晶表示部などであり、ＣＰＵは、粘着テープ２が引き出されてＩＣタグチップ３が取り出された際に、ＩＣタグ読み取り部１４によって読み取られたタグＩＤに対応付けてその時の日時情報をその付帯情報として記憶部内に書き込むようにしている。
【００２３】
ケース本体１の収容部１Ａには、回転検知部１２の他に、音声マイク１７、スピーカ１８が設けられている。音声マイク１７は、粘着テープ２が引き出されてＩＣタグチップ３が取り出された際に任意のメッセージを音声入力するもので、例えば、品名、購入先、価格などのように所望する内容の音声メッセージが入力されると、この音声メッセージは、当該ＩＣタグチップ３の付帯情報として、タグＩＤ、日時情報に対応付けられて記憶部内に書き込まれる。スピーカ１８は、付帯情報としての音声メッセージを再生出力するもので、ケース本体から取り出されて任意の食料品、日常品などにＩＣタグチップ３を取り付けた後において、この食料品、日常品などの管理状況を確認するためにＩＣタグ読み取り部１４を使用して手作業で当該ＩＣタグチップ３からそのタグＩＤを読み取らせた際には、このタグＩＤに対応して記憶管理されている音声メッセージが再生出力される。
【００２４】
次に、この第１実施例におけるＩＣタグ発行管理装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００２５】
図４は、電源投入に伴って実行開始されるＩＣタグ発行管理装置の全体動作の概要を示したフローチャートである。なお、この図４においては、後述する第２実施例の動作も含めた記述内容となっており、図中、「／」の左側に記述した内容は、第２実施例の動作内容を示している。
先ず、メモリ＆制御部１５を構成するＣＰＵは、回転検知部１２からの検出信号を参照して、回転軸１１が回転して粘着テープ２が引き出されたことが検出されると(ステップＳ１でＹＥＳ)、この粘着テープ２の先端部分にあるＩＣタグチップ３からそのタグＩＤを自動的に読み取ると共に(ステップＳ２)、その時の日時情報を取得し、この日時情報を当該ＩＣタグチップ３の付帯情報としてそのタグＩＤに対応付けて記憶管理する(ステップＳ３)。
【００２６】
そして、粘着テープ２が引き出されてＩＣタグチップ３が取り出されてから所定時間が経過するまでの間に音声メッセージが入力されたか否かをチェックし(ステップＳ４、Ｓ５)、所定時間内に音声メッセージが入力された場合には、この音声メッセージを当該ＩＣタグチップ３の付帯情報としてそのタグＩＤに対応付けて追加記憶する(ステップＳ６)。なお、所定時間が経過しても音声メッセージが入力されなければ、付帯情報の追加は行われない。なお、図５は、上述のようにして取り出したＩＣタグチップ３を任意の食料品(りんご)に取り付けた状態を示している。
【００２７】
ここで、ＩＣタグチップ３を任意の食料品、日常品などに取り付けた後において、この食料品、日常品などの管理状況を確認するためにＩＣタグ読み取り部１４を使用して手作業で当該ＩＣタグチップ３からそのタグＩＤを読み取らせた際には(ステップＳ７)、このタグＩＤに対応して記憶管理されている日時情報および音声メッセージを読み出し、日時表示部１６に日時情報を表示させると共にスピーカ１８から音声メッセージを再生出力させる(ステップＳ８)。以下、ステップＳ１に戻り、上述の動作が繰り返される。
なお、図５に示すように、ＩＣタグチップ３を「りんご」に貼り付けて冷蔵保存している場合において、どれをいつどこで購入したものかを確認する際には、このＩＣタグチップ３からタグＩＤを手動で読み取らせてその付帯情報(日時情報、音声メッセージ)を出力させればよい。
【００２８】
以上のように、この第１実施例においては、複数のＩＣタグチップ３が配列固定されている粘着テープ２を収容する持ち運び自由なケース本体１からＩＣタグチップ３を取り出すために粘着テープ２が引き出された際に、このＩＣタグチップ３からタグＩＤを読み取ると共に、このＩＣタグチップ３に関する付帯情報を取得し、このタグＩＤと付帯情報とを対応付けて記憶管理した後、タグＩＤが任意に指定された際に、指定されたタグＩＤに対応する付帯情報を読み出して出力するようにしたから、いつでも、どこでも、誰でも、容易にＩＣタグを使用して所望する物品を自由に管理することができ、一般家庭であっても、ＩＣタグを使用して食料品、日常品などを手軽に管理することができる。
【００２９】
この場合、複数のＩＣタグチップ３に記憶されている各タグＩＤは、ＩＣタグチップ３の並び順を識別可能な連番形式の番号情報であり、ケース本体１からＩＣタグチップ３がその並び順に従って順番に取り出された際に、そのＩＣタグチップ３からタグＩＤを取得するようにしたから、予め管理対象である物品とそれに貼り付けられるＩＣタグチップ３とを対応付けておかなくてもよく、任意の物品に任意のＩＣタグチップ３を貼り付けることができる。この場合、タグＩＤと付帯情報との対応付けによって任意の物品と任意のＩＣタグチップ３とは、付帯情報によって関連付けられる。
【００３０】
ＩＣタグチップ３が取り出された際の計時情報を付帯情報として取得するようにしたから、ＩＣタグチップ３の取り出し日時に基づいて物品管理を行うことができる。また、ＩＣタグチップ３が取り出された際に任意に入力された音声メッセージを付帯情報として取得するようにしたから、例えば、品名、購入先、価格など、所望する内容のメッセージに基づいて物品管理を行うことができると共に、テキスト入力などの特別な操作を行うことなく、入力された音声メッセージを聞くことができる。
【００３１】
なお、上述した第１実施例において、粘着テープ２が引き出された際に、ＩＣタグ読み取り部１４は、粘着テープ２の先端部分のＩＣタグチップ３からそのタグＩＤを自動的に読み取るが、ＩＣタグチップ３を取り付けた食料品、日常品などの管理状況を確認するために手作業でＩＣタグチップ３からそのタグＩＤを読み取らせる場合も、このＩＣタグ読み取り部１４を使用するようにしたが、自動読み取りと手動読み取り時とは、別のＩＣタグ読み取り部を使用するようにしてもよい。つまり、手動読み取り用のＩＣタグ読み取り部をケース本体１の収容部１Ａに別に設けるようにしてもよい。
（実施例２）
【００３２】
以下、この発明の第２実施例について図４および図６〜図８を参照して説明する。
なお、上述した第１実施例においては、テープホルダ形式のハンディ型発行管理装置に適用した場合を例示したが、この第２実施例においては、紙類、袋類などに針を打ち込んで綴じるステープラー形式のハンディ型発行管理装置に適用した場合を示したものである。
図６は、この第２実施例におけるＩＣタグ発行管理装置の全体を示した概略外観図であり、図７は、この発行管理装置内に収納されている綴じ針を示した斜視図である。
【００３３】
ＩＣタグ発行管理装置は、一般家庭において、ＩＣタグを使用して主婦などが食料品、日常品を管理する目的で使用されるもので、その全体は、文房具用品、事務用品として普及しているステープラーと基本的には同様の形状を成すハンディ型発行管理装置であり、この上部ケース１０１と下部ケース１０２との一端部同士は、回転可能に軸支され、ばね板を介して反発可能に取り付けられている。この下部ケース１０２内には、綴じ針群１０３が収納されており、上部ケース１０１の先端部には、綴じ針群２００から針を１本ずつ打ち出す機構部(図示せず)が設けられている。
【００３４】
綴じ針群２００を構成する個々の針の上面部には、マイクロＩＣタグチップ３００が固定されている。上部ケース１０１の先端部には、針の上面部に取り付けられたマイクロＩＣタグチップ３００からタグＩＤを読み取るＩＣタグ読み取り部１０３が設けられている。上部ケース１０１には、メモリ＆制御部１０４、日時表示部１０５、音声マイク１０６、スピーカ１０７が設けられている。なお、メモリ＆制御部１０４、日時表示部１０５、音声マイク１０６、スピーカ１０７は、上述した第１実施例と基本的に同様であるため、その説明を省略する。上部ケース１０１と下部ケース１０２との一端部同士を回転可能に軸支する回転軸の近傍には、駆動検知部１０８が設けられている。この駆動検知部１０８は、針を打ち出すために上部ケース１０１と下部ケース１０２とがばねに抗して押圧された際の駆動状態を検出するもので、この検出信号をメモリ＆制御部１０４に与えると、ＩＣタグ読み取り部１０３によって読み取られたタグＩＤと現在の日時情報とを対応付けて記憶管理するようにしている。
【００３５】
次に、この第２実施例におけるＩＣタグ発行管理装置の動作概念を図４に示すフローチャートを参照して説明する。
先ず、メモリ＆制御部１０４を構成するＣＰＵは、駆動検知部１０８からの検出信号を参照して、針を打ち出すために上部ケース１０１と下部ケース１０２とがばねに抗して押圧された際の駆動状態が検出されると (ステップＳ１でＹＥＳ)、打ち出された針の上面部に固定されているＩＣタグチップ３００からそのタグＩＤを自動的に読み取ると共に(ステップＳ２)、その際の日時情報を取得し、この日時情報を当該ＩＣタグチップ３の付帯情報としてそのタグＩＤに対応付けて記憶管理する(ステップＳ３)。
【００３６】
そして、針が打ち出されてＩＣタグチップ３が取り出されてから所定時間が経過するまでの間に音声メッセージが入力されたか否かをチェックし(ステップＳ４、Ｓ５)、所定時間内に音声メッセージが入力された場合には、この音声メッセージを当該ＩＣタグチップ３の付帯情報としてそのタグＩＤに対応付けて追加記憶する(ステップＳ６)。なお、所定時間が経過しても音声メッセージが入力されなければ、付帯情報の追加は行われない。なお、図８は、上述のようにして打ち出された針によって綴じられた書類を示している。
【００３７】
ここで、ＩＣタグチップ付きの針で書類などを綴じた後において、この書類などの管理状況を確認するためにＩＣタグ読み取り部１０３を使用して手作業で当該ＩＣタグチップ３００からそのタグＩＤを読み取らせた際には(ステップＳ７)、このタグＩＤに対応して記憶管理されている日時情報および音声メッセージを読み出し、日時表示部１０５に日時情報を表示させると共にスピーカ１０７から音声メッセージを再生出力させる(ステップＳ８)。以下、ステップＳ１に戻り、上述の動作が繰り返される。
【００３８】
このように構成されたステープラー型のＩＣタグ発行管理装置においても、上述したテープホルダ型のＩＣタグ発行管理装置と同様の効果を有し、いつでも、どこでも、誰でも、容易にＩＣタグを使用して所望する物品を自由に管理することができ、一般家庭であっても、ＩＣタグを使用して紙類、袋類などを綴じると同時にその管理を手軽に行うことができる。この場合、ＩＣタグを綴じ針に取り付けることによって針をアンテナ機能として兼用することができる。
【００３９】
なお、ＩＣタグ発行管理装置は、テープホルダ型／ステープラー型に限らず、その全体形状は問わない。
また、上述した各実施例においては、物品の管理状況を確認するためにＩＣタグ読み取り部を使用して手作業でＩＣタグチップからそのタグＩＤを読み取らせた際に、このタグＩＤに対応付けられている付帯情報を表示出力、音声出力するようにしたが、この付帯情報をネットワーク経由で携帯電話、パーソナルコンピュータなどに送信するようにしてもよい。
【００４０】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、複数のＩＣタグを分離可能に収容する持ち運び自由な収容ケース本体からＩＣタグが取り出されたことが検出された際に、このＩＣタグに記憶されているタグ識別情報を取得する機能と、ＩＣタグの取り出しが検出された際に、このＩＣタグに関する付帯情報を取得する機能と、前記取得したタグ識別情報と付帯情報とを対応付けてタグ情報として記憶管理する機能と、任意のタグ識別情報が指定された際に、指定されたタグ識別情報に対応する付帯情報を前記タグ情報記憶手段から読み出して出力する機能とを実現させるためのプログラムを記録したコンピュータが読み取り可能な記録媒体を提供するようにしてもよい。
【図面の簡単な説明】
【００４１】
【図１】ＩＣタグ発行管理装置の全体を示した概略外観図。
【図２】ＩＣタグ発行管理装置内にリール状に巻かれた粘着テープを示した斜視図。
【図３】粘着テープの概略断面図。
【図４】電源投入に伴って実行開始されるＩＣタグ発行管理装置の全体動作の概要を示したフローチャート。
【図５】取り出されたＩＣタグチップ３を任意の食料品(りんご)に取り付けた状態を示した図。
【図６】第２実施例において、ＩＣタグ発行管理装置の全体を示した概略外観図。
【図７】第２実施例において、ＩＣタグ発行管理装置内に収納されている綴じ針群を示した斜視図。
【図８】第２実施例において、打ち出された針によって綴じられた書類を示した図。
【符号の説明】
【００４２】
１  ケース本体
２  粘着テープ
３、３００  マイクロＩＣタグチップ３
４  アンテナ
１２  回転検知部
１３  カッター部
１４、１０３  ＩＣタグ読み取り部
１５、１０４  メモリ＆制御部
１６、１０５  日時表示部
１７、１０６  音声マイク
１８、１０７  スピーカ
１０１  上部ケース
１０２  下部ケース１０２
１０８  駆動検知部
２００  綴じ針群
【図１】
2005321845.tif 000003
【図２】
2005321845.tif 000004
【図３】
2005321845.tif 000005
【図４】
2005321845.tif 000006
【図５】
2005321845.tif 000007
【図６】
2005321845.tif 000008
【図７】
2005321845.tif 000009
【図８】
2005321845.tif 000010